(57)【特許請求の範囲】
【請求項１】
段差部の略水平方向に延出する高位側設置面と該高位側設置面より下位において左右に傾斜する傾斜平面でなる低位側設置面の間に架け渡されるスロープ装置であって、
その上面を踏面とした所定長さのスロープ本体の両端部にそれぞれ端スロープが連結されるとともに、
上記低位側の端スロープが、上記スロープ本体の端部に沿ってその幅方向に列設配置され且つ列設軸線回りに相対回動可能とされた複数の単板を備えてなる分割型端スロープで構成され、
さらに上記スロープ本体の上記低位側設置面側の端部が支柱により上記高位側設置面の面方向と一致した姿勢で支持されるとともに、上記分割型端スロープの上記各単板がその先端側を上記低位側設置面に当接させた姿勢で保持されることを特徴とするスロープ装置。
【請求項２】
請求項１において、
上記スロープ本体が、長矩形の平面形状をもつ板状体で構成されていることを特徴とするスロープ装置。
【請求項３】
請求項１において、
上記スロープ本体が、長矩形板状の複数の踏板をその長辺側の縁部同士を対向させた状態で順次ヒンジ部により連結し、該各踏板の踏面が略平面状に延設される使用時形態と該各踏板がその踏面側を外側にして巻き込まれる非使用時形態の間で形態変更を可能とした構成であることを特徴とするスロープ装置。
【発明の詳細な説明】
【技術分野】
【０００１】
本願発明は、段差部の高位面と低位面の間に架け渡されて車椅子等の通行に供される仮設式のスロープ装置に関するものである。
【背景技術】
【０００２】
この種のスロープ装置としては、例えば、特許文献１〜３に示されるように、平板状のスロープ本体を備え、該スロープ本体の両端にそれぞれ弾性材からなる保護部材を装着して構成されるのが一般的である。そして、このスロープ装置の使用に際しては、上記スロープ本体の両端に設けた上記保護部材を段差部の高位側設置面と低位側設置面にそれぞれ直接載置するのが通例である。
【先行技術文献】
【特許文献】
【０００３】
【特許文献１】特開２００２−９７７６８号公報
【特許文献２】特開２０１２−１４３２６０号公報
【特許文献３】特開２０１３−１６２８１８号公報
【発明の概要】
【発明が解決しようとする課題】
【０００４】
ところが、これら各特許文献１〜３に示されるスロープ装置では、上述のように、平板状のスロープ本体の端部に設けた保護部材を段差部の高位側設置面と低位側設置面にそれぞれ直接載置するようにしていたため、高位側設置面と低位側設置面が共に平滑な平面で且つその面方向が平行な場合には、これら高位側設置面と低位側設置面の間に上記スロープ本体を架け渡したとき、該スロープ本体の両端が上記高位側設置面と低位側設置面にその略全幅で当接し、これら両者間が殆ど段差を生じることなく連続することから、該スロープ本体から上記高位側設置面あるいは低位側設置面側への車椅子の乗降がスムーズとなり、安全な走行が実現される。
【０００５】
しかし、例えば、高位側設置面と低位側設置面が平行でなく、その幅方向において傾斜しているような状態（高位側設置面と低位側設置面が挟角をもって交差するように傾斜している状態）において、該高位側設置面と低位側設置面の間にスロープ本体を架け渡した場合には、高位側設置面と低位側設置面の何れか一方側、あるいは双方において、上記スロープ本体の端部と高位側設置面あるいは低位側設置面の間に段差が生じ、この段差の存在により、車椅子を上記スロープ本体から上記高位側設置面あるいは低位側設置面側へスムーズに乗降させることが困難となり、延いては車椅子の走行の安全性が損なわれることになる。
【０００６】
なお、このような上記スロープ本体の端部と高位側設置面あるいは低位側設置面の間の段差は、上述のように高位側設置面と低位側設置面が挟角をもって交差するような状態のときにのみ生じるのではなく、例えば、低位側設置面が平面ではなく、凹凸のある不整面とか、大きくうねった湾曲面である場合において、高位側設置面とこの不整面あるいは湾曲面の間に上記スロープ本体を架け渡したような場合にも生じ得るものである。
【０００７】
そこで本願発明は、段差部の高位側設置面と低位側設置面のそれぞれの面形状とかこれら両者の相対関係の如何に拘わらず、常にスロープ本体の両端部と段差部の高位側設置面あるいは低位側設置面とがこれらの間に段差を生じることなく連続的に接続されるようにしたスロープ装置を提供することを目的としてなされたものである。
【課題を解決するための手段】
【０００８】
本願の第１の発明では、段差部の略水平方向に延出する高位側設置面と該高位側設置面より下位において左右に傾斜する傾斜平面でなる低位側設置面の間に架け渡されるスロープ装置において、その上面を踏面とした所定長さのスロープ本体の両端部にそれぞれ端スロープが連結されるとともに、上記低位側の端スロープが、上記スロープ本体の端部に沿ってその幅方向に列設配置され且つ列設軸線回りに相対回動可能とされた複数の単板を備えてなる分割型端スロープで構成され、さらに上記スロープ本体の上記低位側設置面側の端部が支柱により上記高位側設置面の面方向と一致した姿勢で支持されるとともに、上記分割型端スロープの上記各単板がその先端側を上記低位側設置面に当接させた姿勢で保持されることを特徴としている。
【０００９】
本願の第２の発明では、上記第１の発明に係るスロープ装置において、上記スロープ本体を、長矩形の平面形状をもつ板状体で構成したことを特徴としている。
【００１０】
本願の第３の発明では、上記第１の発明に係るスロープ装置において、上記スロープ本体を、長矩形板状の複数の踏板をその長辺側の縁部同士を対向させた状態で順次ヒンジ部により連結し、該各踏板の踏面が略平面状に延設される使用時形態と該各踏板がその踏面側を外側にして巻き込まれる非使用時形態の間で形態変更を可能に構成したことを特徴としている。
【発明の効果】
【００１１】
（ａ）本願の第１の発明では、スロープ本体の両端部にそれぞれ端スロープを連結して構成されるスロープ装置を、段差部の高位側設置面と低位側設置面の間に架け渡したとき、上記各端スロープのうち、該端スロープが分割型端スロープで構成された側においては、上記支柱により支持された上記スロープ本体の端部前方において上記分割型スロープの各単板のそれぞれが上記低位側設置面との間の上下方向における対向間隔に対応して個別に回動し、全体としてスロープ面を形成する。
【００１２】
具体的な事例で説明すると、例えば、上記スロープ本体の面方向と、低位側設置面の面方向が、上記スロープ本体２の幅方向に傾斜しているような場合には、上記分割型スロープの各単板が上記傾斜に対応して個別に回動することで、該各単板によって、上記スロープ本体の端部と上記設置面との間を連続的に接続する傾斜面が形成される。
【００１３】
また、上記低位側設置面が平坦面でなく、例えば、凹凸をもつ不整面とか湾曲面であっても、上記分割型スロープの各単板が上記設置面の不整面あるいは湾曲面の形状に対応して個別に回動することで、上記スロープ本体の端部と上記設置面との間を連続的に接続する湾曲面が形成される。
【００１４】
このように、この発明のスロープ装置によれば、スロープ本体の端部に連結される端スロープを分割型スロープで構成することで、段差部の高位側設置面と低位側設置面の面形状とかこれら両者の相対関係に拘わらず、該分割型スロープによって、上記スロープ本体の端部と上記低位側設置面とが連続的に接続され、車椅子の安全な走行を確保される。したがって、安全性に優れ、且つ設置自由度が高く汎用性に富んだスロープ装置を提供できる。
【００１５】
（ｂ）本願の第２の発明では、上記（ａ）に記載の効果に加えて、以下のような特有の効果が得られる。即ち、この発明では、上記スロープ本体を、長矩形の平面形状をもつ板状体で構成したので、上記スロープ装置の設置時における取り扱いが容易であり、設置作業性に優れたスロープ装置を提供できる。
【００１６】
（ｃ）本願の第３の発明では、上記（ａ）に記載の効果に加えて、以下のような特有の効果が得られる。即ち、この発明では、上記スロープ本体を、長矩形板状の複数の踏板をその長辺側の縁部同士を対向させた状態で順次ヒンジ部により連結し、該各踏板の踏面が略平面状に延設される使用時形態と該各踏板がその踏面側を外側にして巻き込まれる非使用時形態の間で形態変更を可能に構成したので、例えば、段差部の高位側設置面と低位側設置面の間に、これら両者を結ぶ直線よりも上方に突出する突起物が存在する場合、上記スロープ本体は該突起物に当接する部分において山形状に折曲することで、該突起物の存在に拘わらずスロープ装置を高位側設置面と低位側設置面の間に架け渡して設置することができるなど、スロープ装置の設置場所の自由度が向上し、延いてはスロープ装置の商品価値が向上する。
【図面の簡単な説明】
【００１７】
【図１】本願発明の第１の実施形態に係るスロープ装置の使用状態における全体斜視図である。
【図２】図１のＡ−矢視図である。
【図３】図２のＢ−Ｂ矢視図である。
【図４】図２のＣ−Ｃ矢視図である。
【図５】図４において、低位側設置面が平坦面でないとした場合の説明図である。
【図６】図１に示したスロープ装置に設けられた低位側端スロープを構成する分割型スロープの腰部の分解斜視図である。
【図７】図６のＤ−Ｄ断面図である。
【図８】本願発明の第２の実施形態に係るスロープ装置の使用状態における全体斜視図である。
【図９】本願発明の第３の実施形態に係るスロープ装置の使用状態における全体斜視図である。
【発明を実施するための形態】
【００１８】
Ａ：第１の実施形態
図１には、本願発明の第１の実施形態に係るスロープ装置１を、段差部の高位側設置面Ｇａと低位側設置面Ｇｂの間に架け渡した状態を示している。このスロープ装置１は、人とか車椅子がこの段差部を通行するに際して利用されるものであって、次述するスロープ本体２の高位側端部２ａに高位側端スロープ３を、低位側端部２ｂに低位側端スロープ４を、それぞれ連結して構成される。
【００１９】
ここで、この実施形態における上記段差部の高位側設置面Ｇａは略水平に幅方向へ延出する水平平面とされる一方、上記低位側設置面Ｇｂは上記高位側設置面Ｇａより下位において正面視の左方から右方に向けて下降傾斜する傾斜平面とされており、上記高位側設置面Ｇａと低位側設置面Ｇｂは「挟角θ」をもつ交差平面とされる。そして、この高位側設置面Ｇａと低位側設置面Ｇｂの間に上記スロープ装置１が架け渡されるものである。
【００２０】
「スロープ本体２」
上記スロープ本体２は、２枚の長矩形板材２Ａ、２Ｂを、横方向に並設し、対向する長辺部同士を可撓性のヒンジ部１０によって折曲・展延自在に連結して構成される。また上記各板材２Ａ、２Ｂの外側縁部には、車輪止めとしても機能する補強用の側縁部材９が取り付けられている。
【００２１】
また、上記各板材２Ａ、２Ｂは、図７に示すように、所定厚さの樹脂板でなる芯材２５の表裏両面にそれぞれ補強シート２６を張り付けて構成されるとともに、その両端部には金属製の端部材８が横設状態で取り付けられている。
【００２２】
なお、この端部材８は、次述の高位側端スロープ３とか低位側端スロープ４を連結するための連結部材として機能するものであって、図７に拡大図示するように、その外側端縁の下端側には嵌合凹条２１と突条２３が、また該外側端縁の上端側には当接部２２が、それぞれ該端部材８の長手方向の全長に亘って形成されている。
【００２３】
さらに、上記スロープ本体２の下面の、上記端部材８に対応する位置には、図１〜図３に示すように、支柱７が設けられている。この支柱７は、上記スロープ本体２の高位側端部２ａ側と低位側端部２ｂ側をそれぞれ上記低位側設置面Ｇｂ上にて支持するものである。
【００２４】
この実施形態では、図１及び図２に示すように、上記スロープ本体２の高位側端部２ａ側においては、該高位側端部２ａを上記高位側設置面Ｇａの直近位置で、しかも該高位側設置面Ｇａと略平行となるように支持している。一方、上記スロープ本体２の低位側端部２ｂ側においては、上記高位側設置面Ｇａの高位部Ｇｂ１寄りの端部が該低位側設置面Ｇｂより所定高さに位置するように、該高位部Ｇｂ１寄りの端部と低位部Ｇｂ２寄りの端部をそれぞれ支持している。
【００２５】
したがって、このスロープ本体２に設けられた各支柱７の必要長さは、上記スロープ本体２と上記低位側設置面Ｇｂの高さ方向の間隔に応じて異なっており、これに対応するため、この実施形態では、上記支柱７を複数のピース７ａの接続構造とし、該支柱７の配置位置に応じて接続されるピース７ａの数を増減すること長さで調整を行えるように構成している。このような支柱７の長さ調整によって、上記スロープ本体２は、その上面（即ち、踏面）のスロープ幅方向における面方向が上記高位側設置面Ｇａの面方向と一致した姿勢で、上記低位側設置面Ｇｂ上に支持固定されることになる。
【００２６】
しかしこの状態では、上記スロープ本体２の高位側端部２ａと上記高位側設置面Ｇａの間、及び上記スロープ本体２の低位側端部２ｂと上記低位側設置面Ｇｂの間には、高さ方向に比較的大きな段差が生じ、特に低位側端部２ｂの上記低位部Ｇｂ２寄り部位においてはその段差が最も大きくなり、上記スロープ本体２の高位側端部２ａから上記高位側設置面Ｇａへの乗降、及び上記スロープ本体２の低位側端部２ｂから上記低位側設置面Ｇｂへの乗降が困難となる。そこで、係るスロープ本体２の両端部の段差を解消するために、該スロープ本体２の高位側端部２ａと低位側端部２ｂにはそれぞれ次述する高位側端スロープ３と低位側端スロープ４が連結される。
【００２７】
「高位側端スロープ３」
上記高位側端スロープ３は、図１及び図２に示すように、上記各スロープ本体２の高位側端部２ａにそれぞれ連結される左右一対の一体型スロープＸを備えて構成される。この一体型スロープＸは、図７に示す後述の低位側端スロープ４と同様の連結構造をもつものであって、図７（高位側端スロープ３に関しては、同図に括弧書きで符号を付している）を参照して説明すると、楔状断面形状をもつ幅広の矩形板５で構成される。この矩形板５の基端部の下部寄り位置には、上記スロープ本体２側の端部材８に設けた上記嵌合凹条２１に嵌合する嵌合凸条６１と上記突条２３に対応する凹溝６３が、また基端部の上部寄り位置には上記端部材８側の上記当接部２２に対応する当接部６２が、それぞれ設けられている。
【００２８】
そして、この矩形板５は、上記嵌合凹条２１に上記嵌合凸条６１を嵌合挿入することで、これらの嵌合部を中心に上下方向に回動可能に構成されている。なお、この矩形板５の上動規制は、上記スロープ本体２側の当接部２２と上記矩形板５側の当接部６２が当接係合することで行われる。また、上記矩形板５の下動は、上記スロープ本体２側の突条２３と上記矩形板５側の凹溝６３が係合することで行われる。
【００２９】
これら一対の一体型スロープＸからなる上記高位側端スロープ３は、上記スロープ本体２の高位側端部２ａ部分が上記支柱７によって支持されていることから、上記嵌合凹条２１と嵌合凸条６１との嵌合部を中心に下動し、その先端側が上記高位側端部２ａに当接することで姿勢保持され、該高位側端部２aと上記スロープ本体２とを連続的に接合する。したがって、この高位側端スロープ３を介することで、上記高位側端部２aと上記スロープ本体２との間における車椅子の走行が容易となり、その安全性が確保される。
【００３０】
「低位側端スロープ４」
上記低位側端スロープ４は、図１〜図４、図６〜図７に示すように、上記各スロープ本体２の低位側端部２ｂにそれぞれ連結される左右一対の分割型スロープＹを備えて構成される。この分割型スロープＹは、図７に示すように上記高位側端スロープ３と同様の連結構造をもつものであって、楔状断面形状をもつ長矩形の複数（この実施形態では５枚）の単板６を上記スロープ本体２の低位側端部２ｂに沿ってその幅方向に列設配置し且つ列設軸線Ｌ回りに相対回動可能に連結して構成される。
【００３１】
即ち、上記単板６の基端部の下部寄り位置には、上記スロープ本体２側の端部材８に設けた上記嵌合凹条２１に嵌合する嵌合凸条６１と上記突条２３に対応する凹溝６３が、また基端部の上部寄り位置には上記端部材８側の上記当接部２２に対応する当接部６２が、それぞれ設けられている。そして、この単板６は、上記嵌合凹条２１に上記嵌合凸条６１を嵌合挿入することで、これらの嵌合部を中心に上下方向に回動可能に構成されている。なお、この単板６の上動規制は、上記スロープ本体２側の当接部２２と上記矩形板５側の当接部６２が当接係合することで行われる。また、上記単板６の下動は、上記スロープ本体２側の突条２３と上記矩形板５側の凹溝６３が係合することで行われる。
【００３２】
これら一対の分割型スロープＹからなる上記低位側端スロープ４は、上記スロープ本体２の低位側端部２ｂ部分が上記支柱７によって支持されていることから、上記嵌合凹条２１と嵌合凸条６１との嵌合部を中心に下動し、その先端側が上記高位側端部２ａに当接することで姿勢保持される。
【００３３】
この場合、上記スロープ本体２の幅方向における面方向と上記低位側端部２ｂの面方向とが異なっていることから、上記各分割型スロープＹの各単板６は、順次その下動角度が、上記低位側設置面Ｇｂの高位部Ｇｂ１側から低位部Ｇｂ２側へ移行するにしたがって増大変化し、全体として上記スロープ本体２の幅方向に捩れながら延出するスロープ面を形成し、このスロープ面によって、上記低位側設置面Ｇｂと上記スロープ本体２とが連続的に接合され、これら両者間の段差が解消される。したがって、この低位側端スロープ４を介することで、上記低位側端部２ｂと上記スロープ本体２との間における車椅子の走行が容易となり、その安全性が確保される。
【００３４】
なお、上述のように、上記低位側端スロープ４の各単板６は、上記スロープ本体２の面方向に対する上記低位側設置面Ｇｂの傾斜角に対応してその下動角度を変化させることで、上記低位側設置面Ｇｂと上記スロープ本体２との間の段差を解消してこれら両者を連続的に接続するものであるが、係る機能は、例えば、上記低位側設置面Ｇｂが凹凸をもつ不整面とか、うねりをもつ湾曲面であっても発揮できるものである。即ち、図５に示すように、上記低位側設置面Ｇｂがうねりをもつ湾曲面であっても、この湾曲形状に対応して上記各単板６が下動してその先端部を上記低位側設置面Ｇｂに当接させることで、上記低位側設置面Ｇｂと上記スロープ本体２との間の段差を解消され、これら両者が連続的に接続される。したがって、この低位側端スロープ４を介することで、上記低位側端部２ｂと上記スロープ本体２との間における車椅子の走行が容易となり、その安全性が確保される。
【００３５】
以上のように、この実施形態のスロープ装置１によれば、スロープ本体２の端部に連結される上記低位側端スロープ４を分割型スロープＹで構成することで、段差部の高位側設置面Ｇａと低位側設置面Ｇｂの面形状とかこれら両者の相対関係に拘わらず、該分割型スロープＹによって、上記スロープ本体２の低位側端部２ｂと上記段差部の低位側設置面Ｇｂとを連続的に接続するスロープ面が形成され、このスロープ面を通ることで車椅子の安全な走行が確保されるものであり、この結果、安全性に優れ、且つ設置自由度が高く汎用性に富んだスロープ装置１を提供できる。
【００３６】
なお、この実施形態では、上記高位側設置面Ｇａと低位側設置面Ｇｂのうち、高位側設置面Ｇａが水平面とされ、該高位側設置面Ｇａに対して上記低位側設置面Ｇｂが傾斜している場合を想定して説明したが、これとは逆に、低位側設置面Ｇｂが水平面とされ、該低位側設置面Ｇｂに対して上記高位側設置面Ｇａが傾斜している場合には、上記スロープ装置１をその低位側端スロープ４側が上記高位側設置面Ｇａに対応し、上記高位側端スロープ３が低位側設置面Ｇｂに対応するように、上下反転させて使用すれば良い。
【００３７】
また、この実施形態では、上記スロープ本体２の高位側端部２ａ部分を支柱７によって支持するようにしているが、これに代えて、上記高位側端スロープ３の先端部を上記高位側設置面Ｇａに直接設置すれば、上記スロープ本体２の高位側端部２ａ部分を支持する支柱７を不要とすることができる。
【００３８】
Ｂ：第２の実施形態
図８には、本願発明の第２の実施形態に係るスロープ装置１を、段差部の高位側設置面Ｇａと低位側設置面Ｇｂの間に架け渡した状態を示している。このスロープ装置１は、上記第１の実施形態に係るスロープ装置１の変形例として位置づけられるものであって、該第１の実施形態のスロープ装置１においては、上記高位側端スロープ３を一体型スロープＸで構成し、上記低位側端スロープ４を分割型スロープＹで構成していたのに対して、高位側端スロープ３と低位側端スロープ４を共に分割型スロープＹで構成したものである。
【００３９】
係る構成によれば、第１の実施形態のように低位側設置面Ｇｂが水平面に対して傾斜している場合は勿論のこと、上記高位側設置面Ｇａと低位側設置面Ｇｂの双方が水平面に対して傾斜している場合とか、高位側設置面Ｇａと低位側設置面Ｇｂの双方が凹凸をもつ不整面とか、うねりをもつ湾曲面である場合にも適用できるものであり、設置自由度が高く汎用性に富んだスロープ装置１を提供できるものである。
【００４０】
上記以外の構成及び作用効果については上記第１の実施形態の場合と同様であるので、該第１の実施形態の該当説明を援用し、ここでの説明を省略する。
【００４１】
Ｃ：第３の実施形態
図９には、本願発明の第３の実施形態に係るスロープ装置１を、段差部の高位側設置面Ｇａと低位側設置面Ｇｂの間に架け渡した状態を示している。このスロープ装置１は、上記第１の実施形態に係るスロープ装置１の変形例として位置づけられるものであって、該第１の実施形態のスロープ装置１においては、上記スロープ本体２を長矩形板材２Ａ、２Ｂで構成していたのに対して、この実施形態では、該スロープ本体２を、長矩形板状の複数の踏板１２をその長辺側の縁部同士を対向させた状態で順次ヒンジ部１１により連結し、該各踏板１２の踏面が略平面状に延設される使用時形態と、該各踏板１２がその踏面側を外側にして巻き込まれる非使用時形態の間で形態変更を可能とした蛇腹状構造としたものである。そして、このスロープ本体２の高位側端部２ａに一体型スロープＸでなる高位側端スロープ３を、低位側端部２ｂに分割型スロープＹでなる高位側端スロープ３を、それぞれ連結している。
【００４２】
係る構成によれば、上記第１の実施形態におけるスロープ装置１と同様の作用効果が得られるのに加えて、図９に示すように、段差部の高位側設置面Ｇａと低位側設置面Ｇｂの間に、これら両者を結ぶ直線よりも上方に突出する突起物１３が存在するような場合でも、上記スロープ本体２が該突起物１３に当接する部分において山形状に折曲されることで、該突起物１３の存在に拘わらずスロープ装置１を高位側設置面Ｇａと低位側設置面のＧｂ間に架け渡して設置することができる。これによって、スロープ装置１の設置場所の自由度がより一層向上し、延いてはスロープ装置１の商品価値が向上することになる。
【００４３】
なお、この実施形態では、上記スロープ本体２の高位側端部２ａ部分を支柱７によって支持するようにしているが、これに代えて、上記高位側端スロープ３の先端部を上記高位側設置面Ｇａに直接設置することで、上記スロープ本体２の高位側端部２ａ部分を支持する支柱７を不要とすることができる。
【００４４】
上記以外の構成及び作用効果については上記第１の実施形態の場合と同様であるので、該第１の実施形態の該当説明を援用し、ここでの説明を省略する。
【産業上の利用可能性】
【００４５】
本願発明のスロープ装置は、主として、車椅子を使用する介護現場において利用されるものである。
【符号の説明】
【００４６】
１    ・・スロープ装置
２    ・・スロープ本体
２ａ  ・・スロープ本体の高位端
２ｂ  ・・スロープ本体の低位端
３    ・・高位側端スロープ
４    ・・低位側端スロープ
５    ・・矩形板
６    ・・単板
７    ・・支柱
８    ・・端部材
９    ・・側縁部材
１０    ・・ヒンジ部
１２    ・・スロープ板
２１    ・・嵌合凹条
２２    ・・当接部
２３    ・・突条
２５    ・・芯材
２６    ・・補強シート
６１    ・・嵌合凸条
６２    ・・当接部
６３    ・・凹溝
Ｘ    ・・一体型スロープ
Ｙ    ・・分割型スロープ
Ｇａ  ・・高位側設置面
Ｇｂ  ・・低位側設置面
【図１】
0006522541.tif 000002
【図２】
0006522541.tif 000003
【図３】
0006522541.tif 000004
【図４】
0006522541.tif 000005
【図５】
0006522541.tif 000006
【図６】
0006522541.tif 000007
【図７】
0006522541.tif 000008
【図８】
0006522541.tif 000009
【図９】
0006522541.tif 000010